(57)【特許請求の範囲】
【請求項１】
ハンドルにブラケットを取付け、このブラケットにスイッチ部材を取付け、このスイッチ部材をオン・オフする操作レバーをハンドルにスイング可能に取付けた除雪機において、
前記ブラケットを断面視略コ字形に形成し、このブラケットの断面視略コ字形の開口から前記スイッチ部材の操作子を突出させ、前記操作レバーに前記操作子を押す押圧片を設け、この押圧片で前記操作子を押すときに前記開口を前記押圧片で塞ぐことを特徴とする除雪機のスイッチ機構。
【請求項２】
前記操作レバーを、前記操作子を押す押圧片と、この押圧片を操作するレバー本体とから構成することで、前記スイッチ部材のオン・オフタイミングをずらしたことを特徴とする請求項１記載の除雪機のスイッチ機構。
【請求項３】
前記開口は、前記操作レバーを所定の角度で止めるストッパ機能を兼ねさせることを特徴とする請求項１記載の除雪機のスイッチ機構。
【発明の詳細な説明】
【０００１】
【発明の属する技術分野】
本発明は、操作レバーでスイッチ部材をオン・オフする除雪機のスイッチ機構に関する。
【０００２】
【従来の技術】
除雪機のスイッチ機構として、例えば▲１▼特開平１−１６３３０４号公報「除雪機の負荷検出装置」や▲２▼特開平９−１１４５３５号公報「レバー装置に設けられるスイッチのカバー構造」が知られている。
上記▲１▼は、同公報の第２図及び第４図によれば、操作パネル４ａ（符号は公報に用いた符号を流用した）にシフトレバー２０をスライド操作可能に配置し、このシフトレバー２０の側方にレバー位置を検出するシフト検出手段２９を設け、このシフト検出手段２９に二連スイッチＳＷ1〜ＳＷ4及び二連スイッチＳＷRを設けたものである。
上記▲２▼は、同公報の図１によれば、レバーボックス１８にガイド孔３６を形成し、このガイド孔３６から走行レバー２０ａを差込み、スイッチ３８を取付片４０に取付け、走行レバー２０ａでスイッチ３８を操作するようにしたスイッチ機構であって、取付片４０にスイッチ３８の作動部を覆うカバー機能を付加したものである。
【０００３】
【発明が解決しようとする課題】
しかし、上記▲１▼の除雪機の負荷検出装置では、操作パネル４ａからシフト検出手段２９の二連スイッチＳＷ1〜ＳＷ4及び二連スイッチＳＷRが露出しているので、雪や雨がかかる虞れがある。
また、上記▲２▼のレバー装置に設けられるスイッチのカバー構造では、取付片４０にスイッチ３８の作動部を覆うカバー機能を付加したもの、凍結や積雪の環境で使用する作業機であることを考えると、もっと作動部を積極的に覆いたいものである。
【０００４】
そこで、本発明の目的は、凍結や積雪の環境に対処することのできる除雪機のスイッチ機構を提供することにある。
【０００５】
【課題を解決するための手段】
上記目的を達成するために請求項１の除雪機のスイッチ機構は、ハンドルにブラケットを取付け、このブラケットにスイッチ部材を取付け、このスイッチ部材をオン・オフする操作レバーをハンドルにスイング可能に取付けた除雪機において、ブラケットを断面視略コ字形に形成し、このブラケットの断面視略コ字形の開口からスイッチ部材の操作子を突出させ、操作レバーに操作子を押す押圧片を設け、この押圧片で操作子を押すときに開口を押圧片で塞ぐことを特徴とする。
【０００６】
除雪機は凍結や積雪の環境で使用する作業機であるから、除雪機に搭載するスイッチ機構は雨や雪を防ぐ配慮が必要となる。
そこで、ブラケットを断面視略コ字形に形成し、このブラケットの断面視略コ字形の開口からスイッチ部材の操作子を突出させ、操作レバーに操作子を押す押圧片を設け、この押圧片で操作子を押すときに開口を押圧片で塞ぐことで、雨や雪がスイッチ部材に付着することを防止する。これをもって、スイッチ機構の信頼性の向上を図るとともにスイッチ部材の寿命を延ばす。
【０００７】
請求項２は、操作レバーを、操作子を押す押圧片と、この押圧片を操作するレバー本体とから構成することで、スイッチ部材のオン・オフタイミングをずらしたことを特徴とする。
操作レバーを、操作子を押す押圧片と、この押圧片を操作するレバー本体とから構成し、スイッチ部材のオン・オフタイミングをずらすことで、操作レバーの操作位置を任意に設定するようにした。この結果、スイッチ機構の設計の自由度を増すことができる。
【０００８】
請求項３は、開口に、操作レバーを所定の角度で止めるストッパ機能を兼ねさせることを特徴とする。
開口に操作レバーを所定の角度で止めるストッパ機能を兼ねさせることで、構成部品の削減を図る。これをもって、スイッチ機構のコストの低減を図ることができる。
【０００９】
【発明の実施の形態】
本発明の実施の形態を添付図に基づいて以下に説明する。なお、「前」、「後」、「左」、「右」、「上」、「下」は作業者から見た方向に従い、Ｆｒは前側、Ｒｒは後側、Ｌは左側、Ｒは右側を示す。また、図面は符号の向きに見るものとする。
【００１０】
図１は本発明に係るスイッチ機構を搭載した除雪機の側面図であり、除雪機１０は、左右のクローラベルト１１Ｌ，１１Ｒを備えた走行フレーム１２に、除雪作業部１３並びにこの除雪作業部１３を駆動するエンジン１４を備えた車体フレーム１５を上下スイング可能に取付け、この車体フレーム１５の前部をフレーム昇降機構１６によって上下スイングするようにし、さらに、走行フレーム１２の後部から後方上部へ左右２本のハンドル１７Ｌ，１７Ｒを延したものである。なお、１８Ｌ，１８Ｒはハンドル１７Ｌ，１７Ｒのグリップである。
【００１１】
作業者は、除雪機１０に連れて歩行しながら、ハンドル１７Ｌ，１７Ｒで除雪機１０に操作することができる。この例では、左右のハンドル１７Ｌ，１７Ｒ間に操作ボックス４１、制御部２８、バッテリ２９，２９（奥側の２９は不図示）を上からこの順に配列した。
【００１２】
また、除雪機１０は、エンジン１４の出力軸であるクランクシャフト３５からの動力を、シャフト側プーリ３６及び伝動ベルト３７，３７を介して除雪作業部１３に伝達するもので、エンジン１４のクランクシャフト３５の先端に電磁クラッチ５０を配置し、クランクシャフト３５の中間にシャフト側プーリ３６を配置した作業機である。
【００１３】
除雪作業部１３は、車体フレーム１５の前部に取付けたオーガ３１、ブロア３２並びにシュータ３３からなり、オーガ３１、ブロア３２を回転軸３９で回転するように構成したものである。
よって、クランクシャフト３５からの動力を電磁クラッチ５０を介してシャフト側プーリ３６に伝達し、このシャフト側プーリ３６の回転を伝動ベルト３７，３７を介してオーガ側プーリ３８に伝え、このオーガ側プーリ３８の回転を回転軸３９を介してオーガ３１及びブロア３２の伝達することにより、オーガ３１で掻き集めた雪をブロア３２でシュータ３３を介して遠くへ飛ばすことができる。
【００１４】
なお、図中、２６ａはオーガケース、２６ｂはブロアケース、２６ｃはスクレーパ、２６ｄは充電用発電機、２６ｅはランプ、２６ｆはカバー、２６ｇはベルト付勢部材である。また、走行フレーム１２及び車体フレーム１５で機体１９を構成する。
【００１５】
図２は本発明に係るスイッチ機構を搭載した除雪機の平面図であり、左右のクローラベルト１１Ｌ，１１Ｒの駆動源を左右の電動モータ２１Ｌ，２１Ｒとし、左右のクローラベルト１１Ｌ，１１Ｒの後部に左右の走行輪としての駆動輪２３Ｌ，２３Ｒを配置し、左右のクローラベルト１１Ｌ，１１Ｒの前部に左右の走行輪としての転動輪２４Ｌ，２４Ｒを配置した状態を示す。
よって、電動モータ２１Ｌ，２１Ｒの回転をそれぞれ左右の駆動輪２３Ｌ，２３Ｒに伝え、左右のクローラベルト１１Ｌ，１１Ｒを駆動して自力走行することができる。
【００１６】
また、エンジン１４から突出したクランクシャフト３５に発電機用プーリ２７ａを取付け、この発電機用プーリ２７ａから充電用発電機２６ｄに取付けた発電機側プーリ２７ｂにＶベルト２７ｃをかけることで、クランクシャフト３５の回転をＶベルト２７ｃを介して充電用発電機２６ｄに伝えることができる。
【００１７】
図３は図１の３矢視図であり、操作部４０の斜視図を示す。
操作部４０は、左右のハンドル１７Ｌ，１７Ｒの間に設けた操作ボックス４１と、左のハンドル１７Ｌに設けた走行準備レバー４３と、左のハンドル１７Ｌに取付けた左の旋回操作レバー４４Ｌと、右のハンドル１７Ｒに取付けた右の旋回操作レバー４４Ｒと、とからなる。
【００１８】
操作ボックス４１は、ハンドル１７Ｌ，１７Ｒに渡した操作ケース４５と、操作ケース４５に被せた操作パネル４６とからなる。
操作ケース４５には、電磁クラッチ５０をＯＮ／ＯＦＦ切換えするクラッチボタン４５Ａと、エンジン１４（図１参照）を始動する始動スイッチ４５Ｂと、エンジン１４を始動するときに使用するチョークノブ４５Ｃと、ランプ２６ｅ（図１参照）を点灯させる点灯ボタン４５Ｄを備える。
操作パネル４６には、フレーム昇降機構１６（図１参照）を操作する昇降操作レバー４６Ａと、シュータ３３の向きを変えるシュータ操作レバー４６Ｂと、エンジン１４の回転数を制御するスロットルレバー４６Ｃ、機体１９（図１参照）の走行速度を操作するとともに電動モータ２１Ｌ，２１Ｒを正逆転させることで前進／後退を操作する操作レバー（前後進速度調節レバー）７６とを備える。
【００１９】
走行準備レバー４３は、除雪機１０を走行可能状態にするレバーである。
左右の旋回操作レバー４４Ｌ，４４Ｒは、２つの電動モータ２１Ｌ，２１Ｒのうちの１つの電動モータ２１Ｌ，２１Ｒ（図１参照）の回転数を変化させることで、左又は右に機体を旋回させるレバーである。
【００２０】
図４は本発明に係るスイッチ機構を搭載した除雪機の操作パネルの平面図であり、操作パネル４６は、パネル本体部４７ａに、走行準備レバー４３を覆うカバー部４７ｂと、昇降操作レバー４６Ａを貫通させる小判形の貫通孔４７ｃと、シュータ操作レバー４６Ｂを貫通させる小判形の貫通孔４７ｄと、スロットルレバー４６Ｃを貫通させる長孔４７ｆと、操作レバー７６をガイドするとともに貫通させるガイド孔４８と、操作ケース４５に操作パネル４６を止めるための止め孔４７ｇ，４７ｇを設けたものである。
【００２１】
ガイド孔４８は、操作レバー７６を前後方向に及び左右方向にガイドできるようにクランク状に形成した孔であって、Ａ1は機体１９（図１参照）を前進走行のみをさせる前進走行範囲、Ａ2は除雪作業時に機体１９を前進又は後退させる作業走行範囲、Ａ3は機体１９を後進走行のみをする後進走行範囲をであり、操作レバー７６をこれらの範囲に設定して前進、後進若しくは除雪作業を行なう。
【００２２】
以下、走行準備レバー４３（以下、「操作レバー４３」と記載する）の詳細構造であり、本発明に係る除雪機のスイッチ機構８０（以下「スイッチ機構８０」と略記する）を説明する。
【００２３】
図５は本発明に係る除雪機のスイッチ機構の側面図であり、スイッチ機構８０は、左のハンドル１７Ｌにブラケット８４を取付け、このブラケット８４にスイッチ部材（走行準備スイッチ）８５を取付け、このスイッチ部材８５をオン・オフする操作レバー４３をハンドル１７Ｌにスイング可能に取付けた除雪機１０（図１参照）において、ブラケット８４を断面視略コ字形に形成し、このブラケット８４の断面視略コ字形の開口８４ｃからスイッチ部材８５の操作子８５ｂを突出させ、操作レバー４３に操作子８５ｂを押す押圧片８９を設け、この押圧片８９で操作子８５ｂを押すときに開口８４ｃを押圧片８９で塞ぐようにしたものである。
【００２４】
除雪機１０（図１参照）は凍結や積雪の環境で使用する作業機であるから、除雪機１０に搭載するスイッチ機構８０は雨や雪を防ぐ配慮が必要となる。
そこで、ブラケット８４を断面視略コ字形に形成し、このブラケット８４の断面視略コ字形の開口８４ｃからスイッチ部材８５の操作子８５ｂを突出させ、操作レバー４３に操作子８５ｂを押す押圧片８９を設け、この押圧片８９で操作子８５ｂを押すときに開口８５ｃを押圧片８９で塞ぐことで、雨や雪がスイッチ部材８５に付着することを防止する。これをもって、スイッチ機構８０の信頼性の向上を図るとともにスイッチ部材８５の寿命を延ばす。
【００２５】
図６は本発明に係る除雪機のスイッチ構造の分解斜視図である。
ブラケット８４は、断面視コ字形の部材であり、スイッチ部材８５を取付ける取付け孔８４ａ，８４ａと、操作レバー４３を支持する支持部８４ｂ，８４ｂと、スイッチ部材８５の操作子８５ｂを突出させる開口８４ｃを形成したものである。なお、開口８４ｃに、操作レバー４３を所定の角度で止めるストッパ機能を兼ねる。開口８４ｃに操作レバー４３を所定の角度で止めるストッパ機能を兼ねさせることで、構成部品の削減を図る。この結果、スイッチ機構８０のコストの低減を図ることができる。
【００２６】
スイッチ部材８５は、スイッチ本体部８５ａと、このスイッチ本体部８５ａにスライド可能に取付けた操作子８５ｂと、スイッチ本体部８５ａから延出したハーネス８５ｃとからなる。８６はブラケット８４にスイッチ部材８５を取付ける取付けねじ、８６ａは取付けねじ８６に捩じ込むナットである。
【００２７】
操作レバー４３は、操作者が操作するレバー本体８７と、このレバー本体８７と共にピン８８を介してブラケット８４に回転自在に取付けた押圧片８９と、これらのレバー本体８７と押圧片８９との間に付勢したトーションばね９１と、レバー本体部８７と左ハンドル１７Ｌとの間に掛け渡した引張りばね９２とから構成するものである。なお、８８ａはピンを止める止め輪、９２ａはハンドル１７側に形成した引張りばね９２を掛けるばね掛け部である。
【００２８】
レバー本体８７は、断面視コ字形のレバーであり、ブラケット８４に支持するための孔８７ａ，８７ａと、引張りばね９２を掛ける引っ掛け部８７ｂと、押圧片８９を作動させる作動部８７ｃとを備える。
押圧片８９は、コ字形のホルダであって、レバー本体８７とともにピン８８でブラケット８４に回転自在に取付けるための孔８９ａ，８９ａと、操作子８５ｂを押すとともに開口８４ｃを覆うフラット部８９ｂとを備える。
トーションばね９１は、コイル部９１ａをピン８８で貫通することで支持し、一端を押圧片８９のフラット部８９ｂに当て、他端を左のハンドル１７Ｌに当てるようにした。
【００２９】
以下、スイッチ機構８０の基本動作を説明する。
図７（ａ）〜（ｃ）は本発明に係る除雪機のスイッチ機構の動作説明図である。
（ａ）において、操作レバー４３の押圧片８９でスイッチ部材８５の操作子８５ｂを押した状態を示し、操作レバー４３は、押圧片８９、レバー本体８７の順でブラケット８４の開口８４ｃに当て、定状態を保ったことを示す。
また、スイッチ部材８５は、スイッチ本体部８５ａに操作子８５ｂを押込んだときにＯＦＦ状態に設定したスイッチである。すなわち、図３で説明したように操作レバー４３は、電動モータ２１Ｌ，２１Ｒ（図１参照）を走行可能状態にするレバーである。
【００３０】
（ｂ）において、操作レバー４３を矢印ｂの如く握る。この状態では押圧片８９のフラット部８９ｂにレバー本体８７の作動部８７ｃは接触しない。従って、スイッチ部材８５の状態はＯＦＦのままである。
【００３１】
（ｃ）において、さらに、操作レバー４３を矢印ｃ1の如く握り、グリップ１８Ｌに操作レバー４３を近づけることで、レバー本体８７の作動部８７ｃで押圧片８９のフラット部８９ｂを持ち上げ、押圧片８９を矢印ｃ2の如く回転させ、操作子８５ｂから押圧片８９を取り去る。すなわち、スイッチ部材８５はＯＦＦ状態からＯＮ状態に変る。この状態（スイッチ部材８５がＯＮ）で電動モータ２１Ｌ，２１Ｒ（図１参照）は回転可能となる。
【００３２】
すなわち、スイッチ機構８０は、操作レバー４３を、操作子８５ｂを押す押圧片８９と、この押圧片８９を操作するレバー本体８７とから構成することで、スイッチ部材８５のオン・オフタイミングをずらすことができることを示す。
操作レバー４３を、操作子８５ｂを押す押圧片８９と、この押圧片８９を操作するレバー本体８７とから構成し、スイッチ部材８５のオン・オフタイミングをずらすことで、操作レバー４３の操作位置を任意に設定できる。この結果、スイッチ機構８０の設計の自由度を増すことができる。
【００３３】
図８は本発明に係る第２実施の形態の除雪機のスイッチ機構の側面図であり、スイッチ機構８０に（図５参照）に使用した部品と同一部品は同一符号を用い詳細な説明は省略する。
図中、１７Ｌは左のハンドル、１８Ｌは左のグリップ、４７ｂは操作パネル４６（図５参照）のカバー部、８４はブラケット、８５はスイッチ部材、８６は取付けねじ、８６ａはナット、８８はピン、９１はトーションばね、９２は引張りばねであり、除雪機のスイッチ機構８１（以下「スイッチ機構８１」と略記する）は、操作レバー（走行準備レバー）９３を操作子８５ｂを押す押圧片９４と、この押圧片９４の作用部９４ａを内包をするレバー本体９５とから構成し、このレバー本体９５の腹９５ａで作用部９４ａを押すようにしたものである。この結果、スイッチ機構８１をコンパクトに構成することができる。
【００３４】
図９は本発明に係る第３実施の形態の除雪機のスイッチ機構の側面図であり、スイッチ機構にに（図５参照）に使用した部品と同一部品は同一符号を用い詳細な説明は省略する。
図中、１７Ｌは左のハンドル、１８Ｌは左のグリップ、４７ｂは操作パネル４６（図５参照）のカバー部、８４はブラケット、８５はスイッチ部材、８６は取付けねじ、８６ａはナット、８８はピン、９２は引張りばね、９２ｂはハンドル１７側に形成した引張りばね９２を掛けるばね掛け部であり、除雪機のスイッチ機構８２（以下「スイッチ機構８２」と略記する）は、操作レバー（走行準備レバー）９６を一体的に形成したものである。すなわち、９６ａはスイッチ部材８５の操作子８５ｂを押すとともに開口８４ｃを覆う押圧片であり、部品点数の削減を図ることができる。この結果、スイッチ機構８２のコストの低減を図ることができる。
【００３５】
尚、実施の形態では図５に示すように、スイッチ部材８５の操作子８５ｂの正面部分を塞ぐようにしたが、これに限るものではなく、開口８４ｃの全体を塞ぐように押圧片８９のフラット部８９ｂの面積を増加させたものであってもよい。
【００３６】
【発明の効果】
本発明は上記構成により次の効果を発揮する。
除雪機は凍結や積雪の環境で使用する作業機であるから、除雪機に搭載するスイッチ機構は雨や雪を防ぐ配慮が必要となる。
請求項１では、ブラケットを断面視略コ字形に形成し、このブラケットの断面視略コ字形の開口からスイッチ部材の操作子を突出させ、操作レバーに操作子を押す押圧片を設け、この押圧片で操作子を押すときに開口を押圧片で塞ぐようにしたので、雨や雪がスイッチ部材に付着することを防止することができる。この結果、スイッチ機構の信頼性の向上を図ることができるとともにスイッチ部材の寿命を延ばすことができる。
【００３７】
請求項２では、操作レバーを、操作子を押す押圧片と、この押圧片を操作するレバー本体とから構成し、スイッチ部材のオン・オフタイミングをずらすようにしたので、操作レバーの操作位置を任意に設定することができる。この結果、スイッチ機構の設計の自由度を増すことができる。
【００３８】
請求項３では、開口に、操作レバーを所定の角度で止めるストッパ機能を兼ねさせたので、構成部品の削減を図ることができる。この結果、スイッチ機構のコストの低減を図ることができる。
【図面の簡単な説明】
【図１】本発明に係るスイッチ機構を搭載した除雪機の側面図
【図２】本発明に係るスイッチ機構を搭載した除雪機の平面図
【図３】図１の３矢視図
【図４】本発明に係るスイッチ機構を搭載した除雪機の操作パネルの平面図
【図５】本発明に係る除雪機のスイッチ機構の側面図
【図６】本発明に係る除雪機のスイッチ構造の分解斜視図
【図７】本発明に係る除雪機のスイッチ機構の動作説明図
【図８】本発明に係る第２実施の形態の除雪機のスイッチ機構の側面図
【図９】本発明に係る第３実施の形態の除雪機のスイッチ機構の側面図
【符号の説明】
１０…除雪機、１７Ｌ…ハンドル、４３，９３，９６…操作レバー（走行準備レバー）、８０，８１，８２…スイッチ機構、８４…ブラケット、８４ｃ…開口、８５…スイッチ部材（走行準備スイッチ）、８５ｂ…操作子、８７，９５…レバー本体、８９，９４，９６ａ…押圧片。
【図１】
0003771470.tif 000002
【図２】
0003771470.tif 000003
【図３】
0003771470.tif 000004
【図４】
0003771470.tif 000005
【図５】
0003771470.tif 000006
【図６】
0003771470.tif 000007
【図７】
0003771470.tif 000008
【図８】
0003771470.tif 000009
【図９】
0003771470.tif 000010